(57)【特許請求の範囲】
【請求項１】
−シリンジ（３）をシールし、そして薬剤（Ｍ）を変位させるための中空針（４）及びストッパ（６）を備えたシリンジ（３）を含むように配置された細長い本体（２）が、遠位端（Ｄ）、及び注射部位に対して適用する予定のオリフィスを備えた近位端（Ｐ）を有し、ここで、シリンジ（３）は、本体（２）に対して摺動可能に配置される、該本体（２）；
−起動時に：
−本体（２）の内側のカバーのある位置から、オリフィスを通して、そして近位端（Ｐ）を通過して前進位置へ針（４）を押すこと；
−薬剤（Ｍ）の用量を供給するために、シリンジ（３）を操作すること；及び
−薬剤（Ｍ）を送達した後、針（４）を備えたシリンジ（３）をカバーのある位置へ後退させること；
が可能なばね手段（８）；
−手動操作より前に、加圧状態においてばね手段（８）をロックするように配置され、手動操作時に、注射のためのばね手段（８）を解放することが可能である起動手段（２０）；
を含んでなり、
ここで、ばね手段（８）は、針（４）を前進させ、そしてプランジャ（９）を経由して薬剤（Ｍ）の用量を注射するために本体（２）の遠位端（８．１）に基礎を置くように配置された圧縮ばね形状の単一駆動ばね（８）であり、
そしてここで、駆動ばね（８）は、シリンジ（３）を後退させるためにその近位端（８．２）に切り替えられ、本体（２）にその基礎を置くように配置され、一方、圧縮ばね（８）の遠位端（８．１）は、本体（２）にその基礎を置くことから解除される、液体薬剤（Ｍ）の用量を投与するための自動注射器（１）であって：
ここで、ダンパ（２８）がプランジャ（９）の周囲に配置され、ここで、ダンパ（２８）は、プランジャ（９）又はダンパ（２８）のいずれかを近位方向（Ｐ）へのプランジャ（９）の並進運動の少なくとも一部の間で回転させるように、そして並進運動と回転運動の間で、駆動ばね（８）の荷重を共用するように、スプライン（２９）によりプランジャ（９）に係合されることを特徴とする、上記自動注射器（１）。
【請求項２】
ダンパ（２８）及びプランジャ（９）が、薬剤（Ｍ）の用量を供給するためのシリンジ（３）の操作中のみ回転させるように配置されることを特徴とする、請求項１に記載の自動注射器（１）。
【請求項３】
プランジャ（９）が回転を阻止され、そしてダンパ（２８）が回転するように配置され、ここでダンパ（２８）の近位面は、シリンジ（３）とのジョイント軸方向並進運動のために配置されたシリンジホルダ（２２）の遠位面に衝合するように配置されることを特徴とする、請求項１又は２に記載の自動注射器（１）。
【請求項４】
ラチェット機能がシリンジホルダ（２２）上に、又はダンパ（２８）上に配置されることを特徴とする、請求項３に記載の自動注射器（１）。
【請求項５】
シリンジホルダ（２２）又はダンパ（２８）の合わせ面の少なくとも一つがゴムを含むことを特徴とする、請求項３に記載の自動注射器（１）。
【請求項６】
スプライン（２９）のピッチが、スプラインの全体に亘って変化することを特徴とする、請求項１〜５のいずれか１項に記載の自動注射器（１）。
【請求項７】
起動手段（２０）が、自動注射器（１）の遠位端（Ｄ）の上に配置されたラップオーバスリーブボタンの形状のトリガボタン（２０）として配置され、トリガボタン（２０）は、少なくとも、ほとんど、自動注射器（１）の全長に亘って伸び、ここで、トリガボタン（２０）は、近位方向（Ｐ）への並進運動時に、駆動ばね（８）を解放するように配置されることを特徴とする、請求項１〜６のいずれか１項に記載の自動注射器（１）。
【請求項８】
少なくとも一つのクリップ（２．１）が本体（２）内に配置され、ここで、トリガボタン（２０）のスリーブは、送達構成において、クリップ（２．１）が外側に曲がるのを阻止するように配置された小径を有するロッキングセクション（２０．１）を含み、ここで、クリップ（２．１）は、送達構成において、駆動ばね（８）をロックするように配置され、ここで、クリップ（２．１）は、トリガボタン（２０）及びロッキングセクション（２０．１）が近位方向（Ｐ）に並進運動するとき、外側に曲がることによる駆動ばね（８）の荷重下でロックが解除されるように配置されることを特徴とする、請求項７に記載の自動注射器（１）。
【請求項９】
インタロックスリーブ（２５）が、本体（２）の近位端（Ｐ）ではめ込まれ、インタロックスリーブ（２５）は、近位位置と遠位位置の間で縦方向に並進運動が可能であり、そして近位位置において本体（２）から突出する形で、近位方向（Ｐ）に付勢され、ここで、その近位位置において、インタロックスリーブ（２５）は、その後退位置からの近位方向（Ｐ）へのシリンジ（３）の並進運動を阻止するように配置され、そしてここで、その遠位位置において、インタロックスリーブ（２５）は、近位方向（Ｐ）へのシリンジ（３）の並進運動を可能とするように配置されることを特徴とする、請求項１〜８のいずれか１項に記載の自動注射器（１）。
【請求項１０】
少なくとも一つの第二の弾力クリップ（２．２）が、本体（２）上に配置され、第二のクリップ（２．２）は、緩和されるとき、トリガボタン（２０）が近位方向（Ｐ）に並進運動することをブロックするように付勢され、ここで、その遠位位置におけるインタロックスリーブ（２５）は、それをトリガボタン（２０）から連結解除するように、そのバイアスに抗してクリップ（２．２）を押すように配置され、その結果、近位方向（Ｐ）へのトリガボタン（２０）の並進運動を可能にすることを特徴とする、請求項９に記載の自動注射器（１）。
【請求項１１】
その遠位位置におけるインタロックスリーブ（２５）が、駆動ばね（８）の遠位基礎の解放を阻止するように配置されることを特徴とする、請求項９又は１０に記載の自動注射器（１）。
【請求項１２】
後退スリーブ（１０）が、本体（２）内に軸方向に可動に配置され、ここで、駆動ばね（８）は、遠位端面（１３）に支えられるその遠位端、及び連結解除部材（１４）のスラスト面（１７）に支えられるその近位端を有して、後退スリーブ（１０）の内側に配置され、ここで、少なくとも一つの弾力クリップ（１０．１）は、後退スリーブ（１０）の近位端に配置され、ここで、本体（２）は、後退スリーブ（１０）がその近位位置にあるとき、弾力クリップ（１０．１）を収容するためのそれぞれの凹部（２．２）を有し、ここで、その遠位位置におけるインタロックスリーブ（２５）は、それが遠位方向（Ｄ）において並進運動するのを阻止するために、内側から弾力クリップ（１０．１）を支持するように配置されることを特徴とする、請求項９〜１１のいずれか１項に記載の自動注射器（１）。
【請求項１３】
管状シリンジキャリア（７）が、その近位端でシリンジ（３）を保持し、そしてそれを支持するように配置され、シリンジ（３）及びシリンジキャリア（７）は、ジョイント軸方向並進運動のために配置され、ここで、シリンジキャリア（７）は、インタロックスリーブ（２５）にはめ込まれ、ここで少なくとも一つの第二の弾力ラッチ（２７）は、近位端（Ｐ）近くの本体（２）に配置され、ここで、送達状態において、第二の弾力ラッチ（２７）は、シリンジキャリア（７）が近位方向（Ｐ）へ並進運動するのを阻止する形で内側に伸び、ここで、第二の弾力ラッチ（２７）は、遠位方向（Ｄ）へのインタロックスリーブ（２５）の並進運動時に、シリンジキャリア（７）から係合解除するように配置されることを特徴とする、請求項９〜１２のいずれか１項に記載の自動注射器（１）。
【請求項１４】
少なくとも二つの弾力連結解除アーム（１８）は、連結解除部材（１４）に配置され、連結解除アーム（１８）は、プランジャ（９）の第一のショルダ（１９）に近位方向（Ｐ）に支えられる内部傾斜面を有し、ここで、弾力連結解除アーム（１８）は、連結解除アーム（１８）が外側に曲げられるのを阻止し、第一のショルダ（１９）をスリップして通過するために、後退スリーブ（１０）の内壁により支持可能であり、そしてここで、少なくとも一つの開口部（３４）は、連結解除アーム（１８）が第一のショルダ（１９）により外側に曲げられるのを可能とし、その結果、第一のショルダ（１９）が近位方向（Ｐ）に連結解除アーム（１８）をスリップして通過することを可能とする後退スリーブ（１０）内に配置され、ここで、プランジャ（９）は、シリンジ及び／又はストッパ（６）を近位方向（Ｐ）に押すために配置されることを特徴とする、請求項１２又は１３に記載の自動注射器（１）。
【請求項１５】
シリンジ（４）が、後退スリーブ（１０）に摺動可能に配置されるシリンジホルダ（２２）とのジョイント軸方向運動のために配置され、ここで、シリンジホルダ（２２）は、遠位に配置された少なくとも二つの弾力シリンジホルダアーム（２３）を備え、シリンジホルダアーム（２３）は、第一のショルダ（１９）から近位にプランジャ（９）に配置された第二のショルダ（２４）に支えられるためのそれぞれの傾斜面を有し、ここで、シリンジホルダアーム（２３）は、それらがを外側に曲げられるのを阻止するために、本体（２）の内面により支持可能であり、そしてここで、拡幅部分（２．３）は、シリンジホルダ（２２）が最大近位位置近くに到達したとき、シリンジホルダアーム（２３）が外側に曲がることを可能とし、その結果、第二のショルダ（２４）が、シリンジホルダアーム（２３）をスリップして通過すること、及び駆動ばね（８）の荷重をシリンジ（３）からストッパ（６）に切り替えることを可能とするため本体（２）内に設けられることを特徴とする、請求項１２〜１４のいずれか１項に記載の自動注射器（１）。
【発明の詳細な説明】
【技術分野】
【０００１】
本発明は、特許請求範囲の請求項１の前置文に記載の液体薬剤の用量を投与するための自動注射器に関する。
【背景技術】
【０００２】
注射での投与は、使用者及び医療専門家に対する多くの精神的及び肉体的リスク及び課題を提起する工程である。
【０００３】
注射デバイス（即ち、薬物容器から薬剤を投与することが可能なデバイス）は、一般的に二つのカテゴリ−手動デバイス及び自動注射器−に分けられる。
【０００４】
手動デバイスにおいて、使用者は、針を通して流体を駆動させるために機械的エネルギを提供しなければならない。これは、一般的に、注射中、使用者が継続的に押す必要のある、ある種の形体のボタン／プランジャにより行われる。この方法には使用者にとっては多くの不利益がある。使用者がボタン／プランジャを押すことを止めた場合、その後、また、注射は停止するであろう。これは、使用者がデバイスを適切に使用しない場合（即ち、プランジャがその末端位置まで完全に押されない場合）、過少用量を送達するかもしれないことを意味する。注射力は、使用者にとって、特に患者が年長者であり、又は器用さに問題を抱えている場合、大き過ぎるかもしれない。
【０００５】
ボタン／プランジャの伸びが大きすぎるかもしれない。その結果、完全に伸びたボタンに到達することは、使用者にとって不都合であるかもしれない。注射力とボタンの伸びの組み合わせは、挿入された針が動くとき、次々に不愉快さを増大させる手の震え／振動を発生させることがあり得る。
【０００６】
自動注射器デバイスは、患者にとって注射治療の自己投与を容易にすることを目的とする。自己投与注射を用いて送達される現行の治療は、糖尿病用（インスリン及び新しいＧＬＰ−１クラスの薬剤の両方）、片頭痛、ホルモン療法、抗凝血剤などの薬剤を含む。
【０００７】
自動注射器は、標準的なシリンジから非経口の薬物送達に関連する活動を完全に、又は部分的に代替するデバイスである。これらの活動は、保護用のシリンジキャップの取り外し、患者の皮膚内への針の挿入、薬剤の注射、針の除去、針の遮蔽及びデバイスの再使用の阻止を含み得る。これは、手動デバイスの多くの不利益に打勝つものである。注射力／ボタンの伸び、手の震え、及び不完全な用量を送達する可能性は低下する。始動することは、多くの手段で、例えば、トリガボタン又はその注射深さに到達する針の作用により達成され得る。ある種のデバイスにおいて、流体を送達するためのエネルギは、ばねで提供される。
【０００８】
特許文献１は、張力ばねが解除されるとき、流体薬剤の所定量を自動的に注射する自動注射デバイスを開示する。張力ばねが、アンプル及び注射針を、それが解除されたとき、保存位置から配置位置へ動かす。アンプルの内容物は、その後、アンプルの内側にピストンを前進させる張力ばねにより放出される。流動薬剤が注射された後、張力ばねに保存されていたねじれは解放され、そして注射針は自動的にその元の保存位置まで後退する。
【０００９】
ばね手段は、針を前進させるために、及びプランジャを経由して薬剤の用量を注射するために、本体内の遠位端に基礎を置くように配置された単一の圧縮ばねであり、そしてここで圧縮ばねは、シリンジを後退させるためにその近位端に切り替えられ本体内でその基礎を置くように配置される。
【先行技術文献】
【特許文献】
【００１０】
【特許文献１】ＵＳ第２００２／００９５１２０号Ａ１
【発明の概要】
【発明が解決しようとする課題】
【００１１】
本発明の目的は、改良した自動注射器を提供することである。
【００１２】
前記目的は特許請求範囲の請求項１に記載の自動注射器で達成される。
【００１３】
本発明の好ましい実施態様は、従属項で与えられる。
【００１４】
本明細書の文脈において、用語「近位」は、注射中、患者に向かって示す方向を言及し、一方、用語「遠位」は、患者から離れて示す反対方向を参照する。
【課題を解決するための手段】
【００１５】
本発明にとると、液体薬剤の用量を投与するための自動注射器は：
−シリンジをシールし、及び薬剤を変位させるために、中空針及びストッパを備えたシリンジを含むように配置された細長い本体が、遠位端、及び注射部位に対して適用する予定のオリフィスを備えた近位端を有し、ここでシリンジは、本体に対して摺動可能に配置される、該本体；
−起動時に；
−針を本体の内側のカバーのある位置から、近位端を過ぎオリフィスを通過して前進位置内へ針を押すこと；及び
−薬剤の用量を供給するためにシリンジを操作すること；及び
−薬剤を送達した後、針を備えたシリンジをカバーのある位置内へ後退させること；が可能な駆動手段；及び
−手動操作より前に、加圧状態においてばね手段をロックするように配置され、そして、手動操作時に、注射のためにばね手段を解放することが可能な起動手段；
を含む。
【００１６】
本発明によると、ばね手段は、針を前進させるため、及び薬剤の用量を注射するため、本体内で遠位端に基礎を置くように配置された圧縮ばねの形状の単一駆動ばねである。駆動ばねの力は、針及び／又はシリンジを、プランジャを経由して前進させる。駆動ばねは、薬剤の注射が少なくともほとんど完了するとき、シリンジを後退させるために、その近位端に切り替えた本体にその基礎を置くように配置される。
【００１７】
単一の駆動ばねは、針を挿入し、シリンジを完全に空にし、そして注射後、シリンジ及び針を安全な位置まで後退させるために使用される。その結果、シリンジを前進させ、用量を注射することに比較して、反対方向の運動であるシリンジ及び針を引き抜くための第二のばねは要求されない。駆動ばねの遠位端が基礎を置く間、近位端は、針の挿入のためシリンジを前進させ、そしてストッパを押すことにより注射を実行する。注射が少なくともほとんど完了するとき、駆動ばねがその近位端で底を打ち、近位端において本体に基礎を置くことになる。同時に、駆動ばねの遠位端は、本体内にその基礎を置くことから解除される。駆動ばねは、今、反対方向にシリンジを引っ張る。
【００１８】
本発明によると、ダンパは、少なくとも近位方向におけるプランジャの並進運動の途中で、プランジャ又はダンパのいずれかを回転させるために、プランジャの周囲に配置され、及びスプラインによりプランジャと係合する。その結果、駆動ばねの荷重は、自動注射器の挿入と投与の特徴を適合させるために、並進運動と回転運動の間で共有される。駆動ばねの力が、圧縮されるとき最高となる。解除された駆動ばねの増大する膨張と共に、その力は低下する。駆動ばねの特徴は、ばねがほとんど完全に膨張し、そしてその力が最低であるとき、ばね力は、注射の終了時に針を後退するのに十分であることを確実にするために選択する必要がある。その結果、ばね力は、針の挿入又は注射中に、不都合に高いかもしれない。プランジャにスプライン結合されたダンパはこの影響を補償するために使用され得る。
【００１９】
本発明に記載の自動注射器は、大半の従来の自動注射器と比較して、特に、部分数が少ない。丁度一つの駆動ばねの使用は、金属の必要量を低下させ、その結果、重量と製造コストを低下させる。
【００２０】
ダンパ及びプランジャは、薬剤の用量を供給するためにシリンジを操作中、即ち、注射中のみ、回転を起こさせるように配置され得る。針の挿入中、並進運動は弱められない。何故ならば、迅速な針の挿入は、患者にとって苦痛が低下すると想定されるからである。注射中に並進運動を弱めることは、また、患者にとってより都合がよいと考えられる注射速度を低下させることに役立つ。スプライン係合は、迅速な針の後退を確実にするために、針の後退中、係合を解除するように配置され得る。
【００２１】
好ましい実施態様において、プランジャは回転を阻止し、そしてダンパは回転するように配置される。ダンパの近位面は、シリンジとのジョイント軸方向並進運動のために配置されたシリンジホルダの遠位面に衝合するように配置される。ストッパが近位方向で並進運動するために、プランジャはシリンジホルダを通して走行する必要がある。この運動は、シリンジホルダに隣接した回転ダンパにより制限される。回転ダンパのプランジャとのスプライン係合に起因して、プランジャ上の駆動ばねの力は、回転ダンパを回転させる。その結果、駆動ばねの力は、ストッパの並進運動と以下に回転ダンパと参照されるダンパの回転運動の間で共有される。
【００２２】
ラチェット機能は、シリンジホルダ上、又はダンパ上に配置されてもよい。ラチェット機能は、使用者に進行する注射に関する聴覚的フィードバックを与えることに役立つ。更に、ラチェット機能は、並進運動を弱めるために、摩擦力を提供する。
【００２３】
別の実施態様において、少なくとも一つの合わせ面、シリンジホルダの遠位面又はダンパの近位面は、ゴム又は摩擦力を増加させるための別の材料を含む。
【００２４】
スプラインのピッチは、駆動ばねの力がばねの膨張中に低下するとき、ストッパ上の安定した力と継続した投与速度を提供するために、スプラインの長さに応じて変化するように配置され得る。
【００２５】
起動手段は、自動注射器の遠位端上で配置されたラップオーバスリーブボタン（wrap-over sleeve button）形状のトリガボタンを含んでもよい。トリガボタンは、少なくともほとんど、自動注射器の全長に亘って伸びる。トリガボタンは、近位方向における並進運動時に、駆動ばねを解放するように配置される。注射を始動させるために、自動注射器は、注射部位を、例えば、患者のスキンを押す必要がある。使用者、例えば、患者又は介護者は、手全体でラップオーバスリーブボタンを握り、そして注射部位を押す。結果として、トリガボタンは、近位方向で並進運動し、そして注射サイクルを開始するために駆動ばねを解除する。トリガボタンのこのデザインは、器用さに問題を抱えている人々には特にふさわしいが、それは、従来技術の自動注射器に反して、始動は、指一本で小さいボタンを操作することを要求されないからである。代わりに、手全体が使用される。
【００２６】
しかし、回転ダンパは、トリガボタンのタイプに関係なく、自動注射器の他の実施態様にも適用され得る。トリガボタンは、自動注射器の遠位端又は自動注射器上で横方向に配置され得る。
【００２７】
自動注射器の一つの実施態様において、少なくとも一つのクリップは、本体に配置される。クリップは、送達構成において駆動ばねをロックするように配置される。更に、クリップは外側に曲げることにより、駆動ばねの荷重下でロックを解除するように配置される。トリガボタンのスリーブは、送達構成において、即ち、トリガボタンが押されないとき、クリップが外側に曲がるのを阻止するために配置された小直径を有するロッキングセクションを含む。トリガボタン及びロッキングセクションが、クリップ上を押されることにより近位方向に並進運動するとき、クリップはロッキングセクションを離れるようになり、そして、今、駆動ばねの荷重下で外側に曲げてもよく、その結果、駆動ばねを注射のために解除する。駆動ばねの荷重の下でのクリップ及び／又は構成部材は、クリップを外側に曲げるためのランプを有してもよい。
【００２８】
好ましい実施態様において、インタロックスリーブは、本体の近位端にはめ込まれ、インタロックスリーブは、近位位置と遠位位置の間で縦方向に並進運動可能であり、そして近位位置において本体から突出するような方法で近位方向に付勢され、ここで、その近位位置において、インタロックスリーブは、本体に対してその後退位置から近位方向にシリンジの並進運動を阻止するように配置され、そしてここで、その遠位位置におけるインタロックスリーブは、近位方向におけるシリンジの並進運動を可能とするように配置される。
【００２９】
自動注射器の送達状態において、インタロックスリーブは、本体の近位端から突出する近位位置にある。シリンジ及び針は、後退位置にある。注射を始動するために、自動注射器は、インタロックスリーブを遠位方向に本体内へ並進運動する方法で、その近位端で、即ち、注射部位をインタロックスリーブで押さなければならない。その結果、シリンジは、本体からロックを解除され、そして、今、患者の皮膚を穿き刺すためにその前進位置内に針を動かすために並進運動し得る。シリンジ及び針が、実際に、近位方向に並進運動する前に、起動手段、即ち、ラップオーバスリーブトリガボタンは、駆動ばねを解除するために操作する必要がある。遠位方向でインタロックスリーブを並進運動すること、及び近位方向においてトリガボタンを並進運動することの両方は、使用者に、トリガボタンをつかみ、そして注射部位に対して自動注射器を押すことを求められる。インタロックスリーブがトリガボタンの前に並進運動することを確実にするために、インタロックスリーブは、トリガボタンより弱いそれを付勢するためのばね手段を有してもよい。これら二つの並進運動は、使用者に、工程間の力の増大を伴った二段階の並進運動のように思わせる。
【００３０】
別の好ましい実施態様において、少なくとも一つの第二の弾力クリップは、本体に配置される。第二のクリップは、第二のクリップが緩和するとき、トリガボタンが近位方向において並進運動することをブロックするために付勢される。その遠位位置において、インタロックスリーブは、それをトリガボタンから連結を解除するために、そのバイアスに対してクリップを押すように配置され、その結果、近位方向において、トリガボタンの並進運動を可能にする。この実施態様は、二つの異なった強いばね手段より、高い信頼性を持って順序付けされた操作を確実にする。インタロックスリーブは、トリガボタンがロックを解除する前に、常に、その遠位位置内に並進運動をする必要がある。
【００３１】
シリンジの内容物が完全に患者に送達されたとき、即ち、ストッパがシリンジの底を打ったとき、針の後退を始動することは望ましいことである。ストッパが正確にその走行の終了点に到達したとき、自動的に後退を始動することは、シリンジ及びストッパを製造するときの許容誤差のために問題である。これらの許容誤差に起因して、その走行の終了時点での後退手段に対するストッパの位置は繰り返し可能ではない。結果として、ある場合には、ストッパは、時期を早めて底を打ち、それでは後退は全く始動しないであろう。その他の場合においても、後退は、ストッパが底を打つ前に始動し、それでは残留薬剤はシリンジ内に残るであろう。
【００３２】
後退は、自動的にある時間後に始動し、又はストッパがシリンジの底を打つ前に、走行することができるであろう。しかし、この信頼性のある後退は、シリンジ内での残留薬剤に対してトレードオフの関係にある。
【００３３】
その結果、好ましい実施態様において、インタロックスリーブは、更に、遠位位置にあるとき、駆動ばねが遠位基礎（distal ground）の解放を阻止するように配置される。これは、自動注射器が注射部位に対して押され続けている限り、駆動ばねが遠位的に基礎を置いて残留することを意味し、それで針の後退は、自動注射器が注射部位から除去されるときのみ開始することができ、そしてインタロックスリーブは、結果として、その近位位置へ戻り、その結果、遠位的に基礎を置くことから解除される。薬剤の完全な送達及び信頼性のある後退は、その結果、注射部位から自動注射器を取り除く使用者の動作を待つことにより達成される。
【００３４】
後退スリーブは、本体内で軸方向に可動に配置されてもよく、ここで、駆動ばねは、遠位端面を支えるその遠位端、及び連結解除部材のスラスト面を支えるその近位端を備えた後退スリーブの内側に配置される。少なくとも一つの弾力ウェッジが、後退スリーブの近位端に配置され、ここで、本体は、後退スリーブがその近位位置にあるとき、弾力ウェッジを収容するためにそれぞれの凹部を有する。その遠位位置にあるインタロックスリーブは、それを遠位方向で並進運動することを阻止するために、内側から弾力ウェッジを支持するように配置される。それ故、インタロックスリーブが注射部位に押されたとき、後退スリーブは、後退を避けられる。自動注射器を注射部位から取り除き、そしてその後のインタロックスリーブのその近位端位置への並進運動の後のみ、後退スリーブは、遠位方向に並進運動してもよく、そして本体内へ針を後退させてもよい。
【００３５】
管状のシリンジキャリアは、その近位端でシリンジを保持し、及びそれを支持するように配置され得る。シリンジを近位端で支持することは、フィンガフランジにおける支持を優先するが、それはフィンガフランジが荷重の下で壊れやすいからであり、一方、シリンジの近位端又は前端は強固である。シリンジ及びシリンジキャリアは、ジョイント軸方向並進運動のために配置される。シリンジキャリアは、インタロックスリーブ内にはめ込まれ、ここで、少なくとも一つの第二の弾力ラッチは、近位端近くの本体に配置される。送達状態において、第二の弾力ラッチは、シリンジキャリアを近位方向に並進運動することを阻止する方法で内側に伸びる。第二の弾力ラッチは、遠位方向でインタロックスリーブの並進運動時に、シリンジキャリアからの係合を解除するように配置される。
【００３６】
好ましい実施態様において、少なくとも一つのラッチは、最大限の近位位置における後退スリーブを軸方向に固定するために提供される。連結解除部材は、ほとんど最大限の近位位置内に、近位方向で動くとき、ラッチの連結を解除するように配置される。連結が解除されるとき、後退スリーブは、その遠位端において最早その基礎を置かないばね力を用いて遠位方向に動き、そして針を後退させることが可能となる。その結果、後退は、ラッチが解除される場合、及び自動注射器が注射部位から除去される場合のみ発生することができる。
【００３７】
好ましくは、プランジャは、シリンジ及び／又はストッパを近位方向に押すために配置される。少なくとも二つの弾力連結解除アームは、連結解除部材に配置される。連結解除アームは、近位方向でプランジャの第一のショルダを支える内部傾斜面を示す。弾力連結解除アームは、連結解除アームを外側に曲げ、そして、第一のショルダをスリップして通過することを阻止するために、後退スリーブの内壁により支持可能である。この状態において、プランジャは、針を挿入し、そして用量を注射するために、第一のショルダを押す連結解除部材により近位方向に押されるかもしれない。少なくとも一つの開口部は、連結解除アームを第一のショルダにより外側に曲げることを可能とし、その結果、第一のショルダを近位方向で連結解除アームを通してスリップすることを可能にする後退スリーブに配置される。これは、注射が少なくともほとんど終了するとき起こり得る。連結解除プランジャは、シリンジ及び針を後退させることを可能にするが、何故ならば、それは、最早、連結解除部材を支えないからである。
【００３８】
シリンジは、後退スリーブに摺動可能に配置されるシリンジホルダとのジョイント軸方向運動のために配置され得る。シリンジホルダは、遠位に配置された少なくとも二つの弾力シリンジホルダアームを備え、シリンジホルダアームは、第一のショルダから近位にプランジャに配置された第二のショルダを支えるために、それぞれ傾斜面を有する。シリンジホルダアームは、それらを外側に曲げることを阻止するために、本体の内面により支持可能である。それ故、トリガボタンが押されるとき、プランジャにより前進させたばね力は、ストッパに対して更に押さないが、それを前進させるシリンジに対しては押す。結果として、いわゆる濡れ注射が阻止され、即ち、液体薬剤は、針が挿入する前に中空針から漏れることはない。拡幅部分は、シリンジホルダがほとんど最高近位位置に到達したとき、シリンジホルダアームを外側に曲げることを可能にするために、その結果、第二のショルダがシリンジホルダアームをスリップして通過することを可能にするために、そしてシリンジからストッパへ駆動ばねの荷重を切り替えることを可能にするために、本体内に提供される。これは、薬剤の注射を開始する瞬間を定義することを可能にする。
【００３９】
通常、中空針は、針を無菌状態に維持し、そしてそれを機械的損傷から防ぐために、保護ニ−ドルシールドを装備している。保護ニ−ドルシールドは、自動注射器又はシリンジが組立てられるとき、針に取り付けられる。
【００４０】
好ましくは、キャップは、本体の近位端に提供される。シートメタルクリップは、ジョイント軸方向運動及び独立の回転運動のために、キャップに取り付けられる。シートメタルクリップは、キャップがインタロックスリーブに取り付けられるとき、オリフィスを通してインタロックスリーブ内に伸びるように配置される。シートメタルクリップは、保護ニ−ドルシールドの円周状のノッチ内に、又はショルダの後部にはめ込まれた少なくとも二つのかかり（barb）を組み込む。これは、組立中、シートメタルクリップと保護ニ−ドルシールドとの係合を自動的に行うことを可能にする。キャップが、注射の準備中に、インタロックスリーブから除去されるとき、保護ニ−ドルシールドは、使用者に自分自身を傷つける高すぎるリスクにさらすことなく確実に除去される。
【００４１】
キャップは、ねじ連結により本体に取り付け可能であり得る。これは、小さい力での保護ニ−ドルシールドの除去を可能にする。
【００４２】
後退スリーブの開口部は、用量の終了時点のそれらの位置まで、送達状態における連結解除アームの位置へ少なくともほとんど伸び得る。開口部は、後退スリーブがその近位位置にあるとき、連結解除アームに対して、角度的に心合わせがずれるように配置され、それでプランジャは連結解除部材から連結を解除されない。開口部及び後退スリーブは、また、遠位方向における近位位置からの後退スリーブの並進運動時に、開口部を連結解除アームと心合わせするために回転するように配置され、それでプランジャ及び連結解除部材は、互いに連結を解除し、その結果、プランジャ、シリンジのストッパ及び針の後退を可能にする。この実施態様は注射サイクルのいかなる点においても後退を開始することを可能とする。
【００４３】
心合わせ位置への回転は、本体に配置されたカムトラック及び後退スリーブにおけるカム従動子により実施でき得る。カムトラックは、本質的に、その近位端においてわずかに角度的に曲がった部分を有する自動注射器の縦軸に平行であり得る。
【００４４】
あるいは、カムトラックは、本体内の後退スリーブ及びカム従動子において配置されてもよい。
【００４５】
自動注射器は、少なくとも一つのシリンジを監視するための視界窓を有してもよい。
【００４６】
自動注射器は、好ましくは、皮下注射又は筋肉内注射のため、特に、鎮痛剤、抗凝血剤、インスリン、インスリン誘導体、ヘパリン、ロベノックス、ワクチン、成長ホルモン、ペプチドホルモン、蛋白質、抗体及び複合炭水化物の一つを送達するために使用し得る。
【００４７】
シートメタルばねを備えたキャップは、また、他の自動注射器及び注射デバイスに適用してもよい。
【００４８】
本発明の適用可能性の更なる範囲は、以下に与えられた詳細な記載から明白になるであろう。しかし、本発明の好ましい実施態様を示す詳細な記載及び具体的な例は、例証としてのみ与えられるのは当然であるが、何故ならば、本発明の精神及び範囲内の様々な変更及び改変は、この詳細な記載から当業者には明白になるからである。
【００４９】
本発明は、本明細書の以下に与えられた詳細な記述、例証としてのみ与えられる添付図面から完全に理解され、それ故、それは本発明を制限するものではないが、ここで：
【図面の簡単な説明】
【００５０】
【図１】図１Ａ及び１Ｂは、送達状態の自動注射器である針を備えたシリンジを前進させ、薬剤の用量を注射し、そしてシリンジ及び針を後退させるための単一の駆動ばねを備えた自動注射器の二つの縦方向の断面である。
【発明を実施するための形態】
【００５１】
図１は、自動注射器１の異なった断面における二つの縦断面を示し、異なった断面は、互いに約９０°回転したものである。自動注射器１は、細長い本体２を含む。中空針４を備えたシリンジ３、例えば、Hypakシリンジは、自動注射器１の近位部分に配置される。自動注射器１又はシリンジ３が組立てられるとき、保護ニ−ドルシールドは、針に取り付けられ得る（図示されていない）。ストッパ６は、シリンジ３を遠位的にシールするために、そして液体薬剤Ｍが中空針を通して投与されるために配置される。シリンジ３は、管状シリンジキャリア７内で保持され、そしてその中の近位端で支持される。圧縮ばねの形状の単一駆動ばね８は、自動注射器１の遠位部分に配置される。プランジャ９は、駆動ばね８のばね力で前進させるために配置される。
【００５２】
本体２の内側で、後退スリーブ１０は、摺動可能に配置される。注射が始動する前に、後退スリーブ１０は、最大限の近位位置にあり、及び本体２内でラッチ１２の後部でつかまえられた停止部１１を用いて遠位方向Ｄに動くことを阻止される。駆動ばね８の遠位端は、後退スリーブ１０の端面１３を支える。停止部１１及びラッチ１２に起因して、駆動ばね８の力は、本体２内へ反応する。駆動ばね８の近位端は、プランジャ９の周りに配置された連結解除部材１４を支える。
【００５３】
連結解除部材１４は、駆動ばね８の近位端を支えるためのスラスト面１７を含む。スラスト面１７から近位的に、少なくとも一つの、好ましくは、二つ又はそれより多くの連結解除アーム１８が、連結解除部材１４で提供され、連結解除アーム１８は、近位方向Ｐにプランジャ９の第一のショルダ１９を支える内部傾斜面を有する。弾力連結解除アーム１８は、この状況において後退スリーブ１０の内壁により支持され、それで、それらは外側に曲げることができず、そして第一のショルダ１９をスリップして通過することができない。送達構成において、連結解除部材１４は、第一の弾力クリップ２．１で本体２にラッチをかけられる。
【００５４】
トリガボタン２０は、自動注射器１のほとんど全長に亘って伸びる自動注射器１の遠位端Ｄに、ラップオーバスリーブボタン形状に配置される。トリガボタン２０のスリーブ部分は、図１で示す送達構成においてクリップ２．１を外側に曲げることを避けるように配置された小径を有するロッキングセクション２０．１を有する。その結果、連結解除部材１４は、近位方向Ｐにおいて並進運動することが阻止される。
【００５５】
シリンジキャリア７は、ジョイント軸方向運動のために、後退スリーブ１０に摺動可能に配置されるシリンジホルダ２２と係合する。シリンジホルダ２２は、遠位的に配置された二つ又はそれより多くの弾力シリンジホルダアーム２３を備えている。シリンジホルダアーム２３は、第一のショルダ１９から近位的に配置されたプランジャ９において第二のショルダ２４を支えるために、それぞれの傾斜面を有する。図１で示す初期位置において、シリンジホルダアーム２３は、本体２の内面により支持され、それでそれらは外側に曲げることができず、そして第二のショルダ２４は、それを通してスリップすることができない。シリンジホルダアーム２３を本体２において支えるために、それぞれの開口部の数は、後退スリーブ１０において提供される。
【００５６】
二つの弾力ウェッジ１０．１は、後退スリーブ１０の近位端で配置される。本体２は、後退スリーブ１０がその近位位置にあるとき、弾力ウェッジ１０．１を収容するように配置された二つの凹部２．２を有する。
【００５７】
皮膚インタロックスリーブ２５は、近位端Ｐで配置される。皮膚インタロックスリーブ２５は、それらの間にスペースを有する外壁２５．１及び内壁２５．２を保有する。外壁２５．１及び内壁２５．２は、互いに、近位端Ｐで、インタロックスリーブ２５の前面２５．３により連結する。内壁部分２５．２．１は、本体２内にはめ込まれる（図１ａ参照）。別の内壁部分２５．２．２は、本体２の外側にはめこまれる。外壁２５．１は、ラップオーバトリガボタン２０にはめ込まれる。近位方向Ｐにおいてインタロックスリーブ２５を付勢するためのインタロックばね２６は、内壁２５．２と外壁２５．１の間のスペースに隠される。シリンジキャリア７は、インタロックスリーブ２５の内壁２５．２内にはめ込まれる。
【００５８】
二つの第二の弾力ラッチ２７は、近位端Ｐ近くの本体２内に配置される。送達状態において、第二のラッチ２７は緩和し、そして第二のラッチ２７のそれぞれの遠位面２７．１に対して衝合するシリンジキャリア７により近位方向Ｐにおいてシリンジキャリア７を並進運動することを阻止する方法で、インタロックスリーブ２５においてそれぞれの開口部２５．４を通して内側に伸びる。従って、シリンジキャリア７、シリンジ３及び針４は、プランジャ９により押されるとき、前進できない。二つの外側に付勢される第二の弾力クリップ２．２は、第二の弾力ラッチ２７から遠位的に本体２上に配置される。送達構成において、第二の弾力クリップ２．２は緩和し、そしてトリガボタン２０を近位端Ｐで並進運動することを阻止する方法で外側に伸びる。
【００５９】
回転ダンパ２８は、プランジャ９の周囲で配置され、そしてプランジャ９上のスプライン２９又はねじ山でプランジャ９と係合する。回転ダンパ２８の近位面は、シリンジホルダ２２の遠位面上の少なくとも一つの歯３０を係合するために配置されたラチェット機能を有する。初期送達位置において、回転ダンパ２８は、シリンジホルダ２２と接触しない。
【００６０】
注射を開始するために、自動注射器１は、注射部位、例えば、患者の皮膚を押さえなければならない。この目的のために、自動注射器１は、介護者により又は患者により、クリップ２．２に基づき本体２に対して並進運動できないトリガボタン２０で保持される。代わりに、インタロックスリーブ２５は、遠位方向Ｄにおいて、本体２内に並進運動する。開口部２５．１の近位端部は、第二のラッチ２７の近位ランプ２７．２に対して押し、それにより、第二のラッチ２７を外側に曲げ、それでシリンジキャリア７は、遠位面２７．１を離し、そして、今、近位方向Ｐに並進運動し得る。同時に、内壁部分２５．２．２の遠位端は、本体２に対してトリガボタン２０を並進運動することを可能にする方法でクリップ２．２を内側に押す。
【００６１】
本体２内に並進運動するとき、インタロックスリーブ２５の内壁２５．２の遠位端は、内側から弾力ウェッジ１０．１を支持し、それでそれらは、内側に曲げることができず、その結果、後退スリーブ１０を遠位方向Ｄに並進運動することを阻止する。
【００６２】
自動注射器１がトリガボタン２０を更に押すことなしで、この状態で、注射部位から除去される場合、インタロックスリーブ２５は、インタロックばね２６の荷重の下でその近位位置内へ並進運動して戻るであろう。第二のラッチ２７は、内側に曲げられ、そしてシリンジキャリア７をブロックし、それで、自動注射器１は、再び、その送達状態にある。クリップ２．２は内壁部分２５．２．２を離し、そして再度外側に曲げ、その結果、トリガボタン２０を本体２に対して近位方向Ｐに並進運動することをブロックする。
【００６３】
トリガボタン２０上の近位方向Ｐにおける圧力が継続する場合、トリガボタンは、近位方向Ｐで並進運動し、その結果、ロッキングセクション２０．１が第一のクリップ２．１を外側に曲げることを可能にする位置へ動かす。これは、駆動ばね８の荷重下で、クリップ２．１のランプに沿って摺動する連結解除部材１４により発生する。トリガボタン２０が走行の終了時に接近するとき、それは、本体２上のキャッチ２．４とトリガボタン２０上のキャッチ２０．２を係合することによりロックされ、それで、それはこの点から遠位方向Ｄに並進運動して戻ることができない。これは、本体２を注射中、トリガボタン２０の内側でならされることを阻止する。キャッチ２０．２及び２．４が遠位端Ｄの近くで配置されるが、それはトリガボタン２０のスリーブの長さに沿って、更に、どこにでも配置され得る。
【００６４】
インタロックスリーブ２５が自動注射器１内に押され、そしてトリガボタン２０が近位方向Ｐで並進運動するとき、第二のショルダ２４は、シリンジホルダ２２、シリンジキャリア７及びシリンジ３を前方に押すが、その間、荷重はストッパ６にかからない。中空針４は、近位端Ｐから現れ、そして注射部位、例えば、患者の皮膚内に挿入される。トリガボタン２０は、キャッチ２０．２、２．４によりロックされ、その結果、その初期遠位位置内へ戻ることが避けられる。
【００６５】
前進運動は、シリンジホルダ２２が本体２内の第一のアバットメント３２において底を打つまで継続する。初期位置からこの点までの走行は、注射深さ、即ち、針の挿入深さを定義する。
【００６６】
シリンジホルダ２２がほとんど底を打つとき、弾力シリンジホルダアーム２３は、本体２の拡幅部分２．３に到達し、そこで、それらは、最早、本体２の内壁で支持されない。しかし、針４を挿入するのに必要な力は、相対的に低いので、第二のショルダ２４は、近位走行が第一のアバットメント３２で停止するまで、シリンジホルダ２２を前進させることを継続する。この点において、シリンジホルダアーム２３は、第二のショルダ２４の継続した力により曲げられ、そしてそれをスリップすることを可能にする。今、プランジャ９は、最早、シリンジホルダ２２を押さないが、薬剤Ｍをシリンジ３から放出し、そしてそれを患者の皮膚内に、又は皮膚を通して注射するためにストッパ６を押す。
【００６７】
第二のショルダ２４がシリンジホルダアーム２３を通してスリップするにつれて、回転ダンパ２８の近位面は、シリンジホルダ２２の遠位面に接触する。ストッパ６を近位方向Ｐに並進運動するために、プランジャ９は、シリンジホルダ２２を通して走行する必要がある。この運動はシリンジホルダ２２に係合した回転ダンパ２８により制限される。回転ダンパ２８のプランジャ９とのスプライン係合に起因して、プランジャ９上の駆動ばね力は、回転ダンパ２８を回転させる。その結果、駆動ばね８の力は、ストッパ９の並進運動と回転ダンパ２８の回転運動の間で共有される。回転ダンパ２８は、迅速な針の挿入を可能にするが、それは、注射サイクルのその点でシリンジホルダ２２と未だ係合しないからである。迅速な針の挿入は、患者にとって苦痛が少ないと想定される。実際の注射中での回転ダンパ２８のシリンジホルダ２２との係合は、薬剤を注射部位に徐々に注射するために、自動注射器１の投与特性に適合することを可能にする。更にその上、ラチェット係合は、注射の終了まで、使用者に聴覚的フィードバックを与える。
【００６８】
回転ダンパ２８とプランジャ９の間のスプライン係合における摩擦は、自動注射器１が使用前まで針を保持する場合、回転ダンパ２８を遠位方向で延設することを阻止し得る。
【００６９】
ストッパ６がシリンジ３でほとんど底を打つとき、連結解除部材１４は、それが後退スリーブ１０を本体２から連結を解除する方法で、ラッチ１２を押す位置に到達する。その結果、駆動ばね８は、最早、ラッチ１２により本体２のその遠位端で基礎を持たず、それで駆動ばね８は、遠位方向Ｄで後退スリーブ１０を引こうと試みる。
【００７０】
ラッチ１２が、今、係合を解除されるが、後退スリーブ１０は、インタロックスリーブ２５が注射部位を押し続ける自動注射器１によりその遠位位置にある限り、インタロックスリーブ２５により内側に曲げられることが避けられる弾力クリップ１０．１のために、遠位方向Ｄに、尚、摺動しないかもしれない。
【００７１】
自動注射器１が注射部位から除去される場合、インタロックスリーブ２５は、インタロックばね２６の荷重の下でその近位位置（図１で示す通り）に戻り、それで弾力クリップ１０．１は、最早、内側から支持されない。駆動ばね８が、遠位方向Ｄに後退スリーブ１０を引くようにするので、弾力クリップ１０．１の遠位ランプは、本体２の凹部の近位端部に沿って動き、それにより、後退スリーブ１０が遠位方向で並進運動を開始するとき、弾力クリップ１０．１を内側に曲げる。後退スリーブ１０は、連結解除部材１８が後退スリーブ１０の開口部３４に到達する点まで動き、それでそれらは、最早、外側に曲げられることが避けられない。その結果、連結解除部材１８は、その傾斜面を押す第一のショルダ１９により外側に押され、それで第一のショルダ１９は、遠位方向Ｄを通してスリップすることができる。連結解除部材１４は、第二のアバットメント３３で底を打ち、そして本体２のその近位端で駆動ばね８に基礎を与えるために、更に、近位方向Ｐにおいて小距離を動くことができる。
【００７２】
代替の実施態様において、プランジャ９は、後退中、回転ダンパ２８を連結解除部材１４と干渉することを阻止するために、第一のショルダ１９とスプライン２９の遠位端の間で、シリンジホルダ２２と後退手段１０の前面３５の間の距離を伸び得る。本体２、トリガボタン２０のスリーブ及び後退スリーブ１０は、また、同じ長さで長くする必要があり得る。
【００７３】
遠位方向Ｄに、尚、動く後退スリーブ１０は、その前面３５でシリンジホルダ２２をつかまえ、そしてそれを遠位方向Ｄに沿って持っていく。その結果、シリンジ３及び針４は、本体２の安全な位置、例えば、初期位置内へ後退する。最早、連結解除部材１８を支えないプランジャ９も、また、引き戻される。
【００７４】
後退スリーブ１０におけるラッチ１２及び停止部１１は、絶対、必要というわけではない。後退は、注射部位から自動注射器１を除去することにより、始動することができる。しかし、送達状態において、停止部１１及びラッチ１２は、駆動ばね８の荷重を静的に分割するループの一部であり、ループは、連結解除部材１４、クリップ２．１、本体２、ラッチ１２、停止部１１及び後退スリーブ１０を含む。それ故、送達状態において、いかなる荷重もプランジャ９にかけられない。
【００７５】
自動注射器１が注射部位から早めに除去される場合、即ち、ストッパ６がシリンジ３で底を打つ前に、後退は、シリンジ３が空になるときのみ開始する。後退スリーブ１０がインタロックスリーブ２５により解除されるという事実にも拘わらず、連結解除部材１４及びプランジャ９は、尚、連結解除部材１８が後退スリーブ１０の開口部３４に合致する点に到達していない。それ故、プランジャ９は、尚、駆動ばね８の荷重の元にあり、そしてシリンジ３を空にすることを継続する。しかし、後退スリーブ１０が解除されるとき、それは遠位方向Ｄで並進運動を開始し、そして、前面３５とシリンジホルダ２２の間のギャップを埋める。実際の後退は、連結解除部材１４が第二のアバットメント３３上で底を打つまでまで起こらず、その結果、駆動ばね８の近位端で基礎を置かれる。その間、駆動ばね８の荷重は、連結解除部材１４を押す駆動ばね８の近位端、プランジャ９、ストッパ６、シリンジ３、シリンジキャリア７、シリンジホルダ２２及び駆動ばね８の遠位端で押される後退スリーブ１０より成るサブアセンブリループに分割される。換言すれば、このサブアセンブリは、自動注射器１の内側でならされ、この間、シリンジ３は空である。連結解除部材１４は、近位方向Ｐで走行を継続し、開口部３４が合致するとき、プランジャ９を解除し、そして第二のアバットメント３３の底を打つ。それ故、駆動ばね８の近位端は、駆動ばね８の更なる膨張を可能とする本体２、及びシリンジホルダ２２、シリンジキャリア７、シリンジ３及び針４を自動注射器１の内側の針の安全位置内へ後退させる後退スリーブ１０に基礎を置く。
【００７６】
回転ダンパ２８は、ラチェットの代わりの摩擦により、例えば、ゴムなどを含む係合面の一つ又は両方によりシリンジホルダ２２と係合し得る。
【００７７】
プランジャ９上を回転する回転ダンパ２８の代わりに、ダンパ２８は、回転を防ぐために本体２とスプライン結合してもよく、そしてプランジャ９は、ダンパ２８において回転するように配置され得る。
【００７８】
スプライン２９のピッチは、駆動ばね８の力がばねの膨張に伴って低下するので、ストッパ６上に安定した力及び連続した投与速度を供給するために、プランジャ９の長さに応じて変更してもよい。
【００７９】
回転ダンパ２８は、トリガボタン２０のタイプに関わらず、自動注射器１の他の実施態様に適用してもよい。トリガボタン２０は、自動注射器の遠位端Ｄ又は自動注射器１の側面に配置されてもよい。同様に、回転ダンパは、皮膚インタロックスリーブ２５の有り又は無しの自動注射器１に適用してもよい。
【００８０】
参照番号リスト
１：自動注射器；
２：本体；
２．１：第一のクリップ；
２．２：第二のクリップ；
２．３：拡幅部分；
２．４：キャッチ；
３：シリンジ；
４：中空針；
６：ストッパ；
７：シリンジキャリア；
８：駆動ばね；
９：プランジャ；
１０：後退スリーブ；
１０．１：弾力クリップ；
１１：停止部；
１２：ラッチ；
１３：端面；
１４：連結解除部材；
１７：スラスト面；
１８：連結解除アーム；
１９：第一のショルダ；
２０：トリガボタン；
２０．１：ロッキングセクション；
２０．２：キャッチ；
２２：シリンジホルダ；
２３：シリンジホルダアーム；
２４：第二のショルダ；
２５：インタロックスリーブ；
２５．１：外壁；
２５．２：内壁；
２５．２．１：内壁部分；
２５．２．２：内壁部分；
２５．３：前面；
２５．４：開口部；
２６：インタロックばね；
２７：第二のラッチ；
２７．１：遠位面；
２７．２：近位ランプ；
２８：ダンパ、回転ダンパ；
２９：スプライン；
３０：歯；
３２：第一のアバットメント；
３３：第二のアバットメント；
３４：開口部；
３５：前面；
Ｄ：遠位端、遠位方向；
Ｍ：薬剤；
Ｐ：近位端、近位方向；
【図１Ａ】
0005897000.tif 000002
【図１Ｂ】
0005897000.tif 000003